(57)【要約】  本発明は端末専用の復調基準信号（ＤＭＲＳ）指示方法、装置およびシステムを開示した。当該方法は、ネットワーク側が信号指示情報を生成し、かつ生成した信号指示情報を端末（Ｓ５０１）へ送信するステップと、端末が受信した当該信号指示情報に含まれるＴＢのＴＢ指示情報と複数ビットの制御情報に基づき、自身に割り当てられる復調基準信号パターン情報と、ポート情報と、基準信号シーケンスのスクランブルコードＩＤとを確認するステップと、を含む。本発明により提供する方法、装置およびシステムを採用すれば、従来技術と比べて、指示端末専用ＤＭＲＳのシグナリングオーバーヘッドを減らし、さらにシステムリソースの浪費を減らすことができる。【選択図】図５
2013519271.tif 000002
【特許請求の範囲】
【請求項１】
指示装置が、信号指示情報を生成するステップと、
ここで、前記信号指示情報は、伝送ブロックＴＢのＴＢ指示情報と複数ビットの制御情報に基づき、端末に割り当てる復調基準信号パターン情報と、ポート情報と、基準信号シーケンスのスクランブルコードＩＤとを指し示し、
生成した前記信号指示情報を端末へ送信するステップと、
を備えることを特徴とする端末専用の復調基準信号の指示方法。
【請求項２】
前記ＴＢのＴＢ指示情報は、ＴＢ２個がそれぞれ対応するＴＢ指示情報であり、前記複数ビットの制御情報は、３ビット或いは４ビットの制御情報であり、ここで、ＴＢ２個はそれぞれ第１ＴＢと第２ＴＢであり、
ＴＢのＴＢ指示情報と複数ビットの制御情報に基づき、端末に割り当てる復調基準信号パターン情報と、ポート情報と、基準信号シーケンスのスクランブルコードＩＤとを指し示すことは、
前記ＴＢ２個のＴＢ指示情報と前記複数ビットの制御情報の結合より表した少なくともＮ種類の指示情報に基づき、端末に割り当てる復調基準信号パターン情報と、ポート情報と、基準信号シーケンスのスクランブルコードＩＤとの合計Ｎ種類の割り当て方式にそれぞれ対応して指し示すことを含み、
前記復調基準信号パターン情報は、予定する多くとも４パターンの内のうちの１パターンの情報である、
ことを特徴とする請求項１に記載の端末専用の復調基準信号の指示方法。
【請求項３】
前記ＴＢ２個がそれぞれ対応するＴＢ指示情報は、シナリオ１とシナリオ２に分けられ、
前記シナリオ１の場合、第１ＴＢが使用されることを表す第１ＴＢ指示情報と、第２ＴＢが使用されることを表す第２ＴＢ指示情報であり、或いは、
前記シナリオ２の場合、第１ＴＢが使用されることを表す第１ＴＢ指示情報と、第２ＴＢが使用されていないことを表す第３ＴＢ指示情報および前記第３ＴＢ指示情報における新データ指示情報ＮＤＩビット数である、
ことを特徴とする請求項２に記載の端末専用の復調基準信号の指示方法。
【請求項４】
前記ＴＢ２個がそれぞれ対応するＴＢ指示情報は、シナリオ１とシナリオ２に分けられ、
前記シナリオ１の場合、第１ＴＢが使用されることを表す第１ＴＢ指示情報と、第２ＴＢが使用されることを表す第２ＴＢ指示情報であり、或いは
前記シナリオ２の場合、第１ＴＢが使用されることを表す第１ＴＢ指示情報と、第２ＴＢが使用されていないことを表す第３ＴＢ指示情報である、
ことを特徴とする請求項２に記載の端末専用の復調基準信号の指示方法。
【請求項５】
予定する多くとも４パターンは、２階数パターンと、第１の４階数パターンと、８階数パターンとを含み、
ここで、前記２階数パターンは１或いは２ポートのパターンの割り当てに、前記第１の４階数パターンは３或いは４ポートのパターンの割り当てに、前記８階数パターンは５、６、７或いは８ポートのパターンの割り当てに用いられるものである、
ことを特徴とする請求項３或いは４に記載の端末専用の復調基準信号の指示方法。
【請求項６】
伝送ブロックＴＢのＴＢ指示情報と複数ビットの制御情報とに基づき、端末に割り当てる復調基準信号パターン情報と、ポート情報と、基準信号シーケンスのスクランブルコードＩＤとを指し示すことは、
ＴＢ２個のＴＢ指示情報が表す２種類のシナリオと３ビット制御情報が表す８種類の制御情報の結合より表した少なくとも１２種類の指示情報に基づき、端末に前記２階数パターン、ポート０およびスクランブルコードＩＤ０を割り当てること；或いは前記２階数パターン、ポート０およびスクランブルコードＩＤ１を割り当てること；或いは前記２階数パターン、ポート１およびスクランブルコードＩＤ０を割り当てること；或いは前記２階数パターン、ポート１およびスクランブルコードＩＤ１を割り当てること；或いは前記２階数パターン、ポート０、ポート１およびスクランブルコードＩＤ０を割り当てること；或いは前記２階数パターン、ポート０、ポート１およびスクランブルコードＩＤ１を割り当てること；或いは前記第１の４階数パターン、ポート０、ポート１、ポート２およびデフォルトスクランブルコードＩＤを割り当て、前記デフォルトスクランブルコードＩＤをスクランブルコードＩＤ０或いはスクランブルコードＩＤ１とすること；或いは前記第１の４階数パターン、ポート０、ポート１、ポート２、ポート３および前記デフォルトスクランブルコードＩＤを割り当てること；或いは前記８階数パターン、ポート０、ポート１、ポート２、ポート３、ポート４および前記デフォルトスクランブルコードＩＤを割り当てること；或いは前記８階数パターン、ポート０、ポート１、ポート２、ポート３、ポート４、ポート５および前記デフォルトスクランブルコードＩＤを割り当てること；或いは前記８階数パターン、ポート０、ポート１、ポート２、ポート３、ポート４、ポート５、ポート６および前記デフォルトスクランブルコードＩＤを割り当てること；或いは前記８階数パターン、ポート０、ポート１、ポート２、ポート３、ポート４、ポート５、ポート６、ポート７および前記デフォルトスクランブルコードＩＤを割り当てること、の合計１２種類の割り当て方式にそれぞれ対応して割り当てること、
を含むことを特徴とする請求項５に記載の端末専用の復調基準信号の指示方法。
【請求項７】
予定する多くとも４パターンは、１或いは２ポートのパターンの割り当てに用いられる第２の４階数パターンをさらに含む、ことを特徴とする請求項６に記載の端末専用の復調基準信号の指示方法。
【請求項８】
前記ＴＢ２個がそれぞれ対応するＴＢ指示情報はシナリオ３もさらに含み、
シナリオ３の場合、第１ＴＢが使用されていないことを表す第４ＴＢ指示情報および前記第４ＴＢ指示情報におけるＮＤＩビット数と、第２ＴＢが使用されることを表す第２ＴＢ指示情報でもある、
ことを特徴とする請求項７に記載の端末専用の復調基準信号の指示方法。
【請求項９】
伝送ブロックＴＢのＴＢ指示情報と複数ビットの制御情報に基づき、端末に割り当てた復調基準信号パターン情報と、ポート情報と、基準信号シーケンスのスクランブルコードＩＤとを指し示すことは、
前記ＴＢ２個のＴＢ指示情報が表す３種類のシナリオと３ビット制御情報が表す８種類の制御情報と結合することより表した、前記１２種類の指示情報以外の少なくとも６種類の指示情報に基づき、端末に前記第２の４階数パターン、ポート０および前記デフォルトスクランブルコードＩＤを割り当てること；或いは前記第２の４階数パターン、ポート１および前記デフォルトスクランブルコードＩＤを割り当てること；或いは前記第２の４階数パターン、ポート２および前記デフォルトスクランブルコードＩＤを割り当てること；或いは前記第２の４階数パターン、ポート３および前記デフォルトスクランブルコードＩＤを割り当てること；或いは前記第２の４階数パターン、ポート０、ポート１および前記デフォルトスクランブルコードＩＤを割り当てること；或いは前記第２の４階数パターン、ポート２、ポートおよび前記デフォルトスクランブルコードＩＤを割り当てること、の合計６種類の割り当て方式にそれぞれ対応して指し示すことを含む、
ことを特徴とする請求項８に記載の端末専用の復調基準信号の指示方法。
【請求項１０】
予定する多くとも４パターンは、２階数パターンと、第１の４階数パターンと、８階数パターンとを含み、ここで、前記２階数パターンは１或いは２ポートのパターンの割り当てに用いられるものであり、前記第１の４階数パターンは３或いは４ポートのパターンの割り当てに用いられるものであり、前記８階数パターンは５、６、７或いは８ポートのパターンの割り当てに用いられるものである、
ことを特徴とする請求項３或いは４に記載の端末専用の復調基準信号の指示方法。
【請求項１１】
伝送ブロックＴＢのＴＢ指示情報と複数ビットの制御情報に基づき、端末に割り当てる復調基準信号パターン情報と、ポート情報と、基準信号シーケンスのスクランブルコードＩＤとを指し示すことは、
前記ＴＢ２個のＴＢ指示情報が表す２種類のシナリオと前記信号指示情報に含まれる４ビット制御情報が表す１６種類の制御情報と結合することより表した少なくとも１８種類の指示情報に基づき、端末に前記２階数パターン、ポート０およびスクランブルコードＩＤ０を割り当てること；或いは前記２階数パターン、ポート０およびスクランブルコードＩＤ１を割り当てること；或いは前記２階数パターン、ポート１およびスクランブルコードＩＤ０を割り当てること；或いは前記２階数パターン、ポート１およびスクランブルコードＩＤ１を割り当てること；或いは前記２階数パターン、ポート０、ポート１およびスクランブルコードＩＤ０を割り当てること；或いは前記２階数パターン、ポート０、ポート１およびスクランブルコードＩＤ１を割り当てること；或いは前記第２の４階数パターン、ポート０およびデフォルトスクランブルコードＩＤを割り当て、前記デフォルトスクランブルコードＩＤをスクランブルコードＩＤ０或いはスクランブルコードＩＤ１とすること；或いは前記第２の４階数パターン、ポート１および前記デフォルトスクランブルコードＩＤを割り当てること；或いは前記第２の４階数パターン、ポート２および前記デフォルトスクランブルコードＩＤを割り当てること；或いは前記第２の４階数パターン、ポート３および前記デフォルトスクランブルコードＩＤを割り当てること；或いは前記第２の４階数パターン、ポート０、ポート１および前記デフォルトスクランブルコードＩＤを割り当てること；或いは前記第２の４階数パターン、ポート２、ポート３および前記デフォルトスクランブルコードＩＤを割り当てること；或いは前記第１の４階数パターン、ポート０、ポート１、ポート２および前記デフォルトスクランブルコードＩＤを割り当てること；或いは前記第１の４階数パターン、ポート０、ポート１、ポート２、ポート３および前記デフォルトスクランブルコードＩＤを割り当てること；或いは前記８階数パターン、ポート０、ポート１、ポート２、ポート３、ポート４および前記デフォルトスクランブルコードＩＤを割り当てること；或いは前記８階数パターン、ポート０、ポート１、ポート２、ポート３、ポート４、ポート５および前記デフォルトスクランブルコードＩＤを割り当てること；或いは前記８階数パターン、ポート０、ポート１、ポート２、ポート３、ポート４、ポート５、ポート６および前記デフォルトスクランブルコードＩＤを割り当てること；或いは前記８階数パターン、ポート０、ポート１、ポート２、ポート３、ポート４、ポート５、ポート６、ポート７および前記デフォルトスクランブルコードＩＤを割り当てること、の合計１８種類の割り当て方式にそれぞれ対応して指し示すことを含む、
ことを特徴とする請求項１０に記載の端末専用の復調基準信号の指示方法。
【請求項１２】
信号指示情報を受信する受信ユニットと、
前記信号指示情報に含まれる伝送ブロックＴＢのＴＢ指示情報と複数ビットの制御情報に基づき、自身に割り当てられる復調基準信号パターン情報と、ポート情報と、基準信号シーケンスのスクランブルコードＩＤとを確認する確認ユニットと、
を備えることを特徴とする端末。
【請求項１３】
前記確認ユニット１００２は前記信号指示情報に含まれるＴＢのＴＢ指示情報と前記複数ビットの制御情報の結合することより表した少なくともＮ種類の指示情報に基づき、端末に割り当てる復調基準信号パターン情報、ポート情報および基準信号シーケンスのスクランブルコードＩＤの合計Ｎ種類の割り当て方式にそれぞれ対応して確認するのに用いれ、ここで、前記ＴＢのＴＢ指示情報はＴＢ２個がそれぞれ対応するＴＢ指示情報であり、前記複数ビットの制御情報は３ビット或いは４ビットの制御情報であり；前記復調基準信号パターン情報は予定する多くとも４パターンのうちの１パターンの情報であり、前記基準信号シーケンスのスクランブルコードＩＤは２つの予定基準信号のシーケンスがそれぞれ対応するスクランブルコードＩＤにおける１スクランブルコードＩＤである、
ことを特徴とする請求項１２に記載の端末。
【請求項１４】
前記確認ユニットに基づく前記ＴＢ２個がそれぞれ対応するＴＢ指示情報は、シナリオ１とシナリオ２にわけられ、
シナリオ１の場合、第１ＴＢが使用されることを表す第１ＴＢ指示情報と、第２ＴＢが使用されることを表す第２ＴＢ指示情報であり、或いは
シナリオ２の場合、第１ＴＢが使用されることを表す第１ＴＢ指示情報、第２ＴＢが使用されていないことを表す第３ＴＢ指示情報および前記第３ＴＢ指示情報における新データ指示情報ＮＤＩビット数である、
ことを特徴とする請求項１３に記載の端末。
【請求項１５】
前記確認ユニットに基づく前記ＴＢ２個がそれぞれ対応するＴＢ指示情報は、シナリオ１とシナリオ２に分けられ、
シナリオ１の場合、第１ＴＢが使用されることを表す第１ＴＢ指示情報と第２ＴＢが使用されることを表す第２ＴＢ指示情報であり、或いは、
シナリオ２の場合、第１ＴＢが使用されることを表す第１ＴＢ指示情報、第２ＴＢが使用されていないことを表す第３ＴＢ指示情報を表す、
ことを特徴とする請求項１３に記載の端末。
【請求項１６】
前記確認ユニットが確認した予定する多くとも４パターンは、２階数パターン、第１の４階数パターンおよび８階数パターンを含み、ここで、前記２階数パターンは１或いは２ポートのパターンの割り当てに用いられ、前記第１の４階数パターンは３或いは４ポートのパターンの割り当てに用いられ、前記８階数パターンを５、６、７或いは８ポートのパターンの割り当てに用いられる、
ことを特徴とする請求項１４或いは１５に記載の端末。
【請求項１７】
前記確認ユニットは、前記信号指示情報に含まれる前記ＴＢ２個のＴＢ指示情報が表す２種類のシナリオと前記信号指示情報に含まれる３ビット制御情報が表す８種類の制御情報の結合より表した少なくとも１２種類の指示情報に基づき、自身に前記２階数パターン、ポート０およびスクランブルコードＩＤ０を割り当てること；或いは前記２階数パターン、ポート０およびスクランブルコードＩＤ１を割り当てること；或いは前記２階数パターン、ポート１およびスクランブルコードＩＤ０を割り当てること；或いは前記２階数パターン、ポート１およびスクランブルコードＩＤ１を割り当てること；或いは前記２階数パターン、ポート０、ポート１およびスクランブルコードＩＤ０を割り当てること；或いは前記２階数パターン、ポート０、ポート１およびスクランブルコードＩＤ１を割り当てること；或いは前記第１の４階数パターン、ポート０、ポート１、ポート２およびデフォルトスクランブルコードＩＤを割り当て、前記デフォルトスクランブルコードＩＤをスクランブルコードＩＤ０或いはスクランブルコードＩＤ１とすること；或いは前記第１の４階数パターン、ポート０、ポート１、ポート２、ポート３および前記デフォルトスクランブルコードＩＤを割り当てること；或いは前記８階数パターン、ポート０、ポート１、ポート２、ポート３、ポート４および前記デフォルトスクランブルコードＩＤを割り当てること；或いは前記８階数パターン、ポート０、ポート１、ポート２、ポート３、ポート４、ポート５および前記デフォルトスクランブルコードＩＤを割り当てること；或いは前記８階数パターン、ポート０、ポート１、ポート２、ポート３、ポート４、ポート５、ポート６および前記デフォルトスクランブルコードＩＤを割り当てること；或いは前記８階数パターン、ポート０、ポート１、ポート２、ポート３、ポート４、ポート５、ポート６、ポート７および前記デフォルトスクランブルコードＩＤを割り当てること、の合計１２種類の割り当て方式にそれぞれ対応して確認する、
ことを特徴とする請求項１６に記載の端末。
【請求項１８】
前記確認ユニット１００２が確認した予定する多くとも４パターンは、１或いは２ポートのパターンの割り当てに用いられる第２の４階数パターンをさらに含む、
ことを特徴とする請求項１７に記載の端末。
【請求項１９】
前記確認ユニットが基づいた前記ＴＢ２個がそれぞれ対応するＴＢ指示情報は、シナリオ３も含み、
シナリオ３の場合、第１ＴＢが使用されていないことを表す第４ＴＢ指示情報および前記第４ＴＢ指示情報におけるＮＤＩビット数と、第２ＴＢが使用されることを表す第２ＴＢ指示情報でもある、
ことを特徴とする請求項１８に記載の端末。
【請求項２０】
前記確認ユニットは、具体的に前記信号指示情報に含まれる前記ＴＢ２個のＴＢ指示情報が表す３種類のシナリオと３ビット制御情報が表す８種類の制御情報の結合より表した前記１２種類の指示情報以外の少なくとも６種類の指示情報に基づき、自身に前記第２の４階数パターン、ポート０および前記デフォルトスクランブルコードＩＤを割り当てること；或いは前記第２の４階数パターン、ポート１および前記デフォルトスクランブルコードＩＤを割り当てること；或いは前記第２の４階数パターン、ポート２および前記デフォルトスクランブルコードＩＤを割り当てること；或いは前記第２の４階数パターン、ポート３および前記デフォルトスクランブルコードＩＤを割り当てること；或いは前記第２の４階数パターン、ポート０、ポート１および前記デフォルトスクランブルコードＩＤを割り当てること；或いは前記第２の４階数パターン、ポート２、ポート３および前記デフォルトスクランブルコードＩＤを割り当てること、の合計６種類の割り当て方式にそれぞれ対応して確認することにさらに用いられる、
ことを特徴とする請求項１９に記載の端末。
【請求項２１】
前記確認ユニットが確認した予定する多くとも４パターンは、２階数パターン、第１の４階数パターンと、第２の４階数パターンと、８階数パターンとを含み、ここで、前記２階数パターンは１或いは２ポートのパターンの割り当てにもちいられ、前記第１の４階数パターンは３或いは４ポートのパターンの割り当てに用いられ、前記第２の４階数パターンは１或いは２ポートのパターンの割り当てに用いられ、前記８階数パターンは５、６、７或いは８ポートのパターンの割り当てに用いられる、
ことを特徴とする請求項１４或いは１５に記載の端末
【請求項２２】
前記確認ユニット１００２は、前記ＴＢ２個のＴＢ指示情報が表す２種類のシナリオと前記信号指示情報に含まれる４ビット制御情報が表す１６種類の制御情報の結合より表した少なくとも１８種類の指示情報に基づき、自身に前記２階数パターン、ポート０およびスクランブルコードＩＤ０を割り当てること；或いは前記２階数パターン、ポート０およびスクランブルコードＩＤ１を割り当てること；或いは前記２階数パターン、ポート１およびスクランブルコードＩＤ０を割り当てること；或いは前記２階数パターン、ポート１およびスクランブルコードＩＤ１を割り当てること；或いは前記２階数パターン、ポート０、ポート１およびスクランブルコードＩＤ０を割り当てること；或いは前記２階数パターン、ポート０、ポート１およびスクランブルコードＩＤ１を割り当てること；或いは前記第２の４階数パターン、ポート０およびデフォルトスクランブルコードＩＤを割り当て、前記デフォルトスクランブルコードＩＤをスクランブルコードＩＤ０或いはスクランブルコードＩＤ１とすること；或いは前記第２の４階数パターン、ポート１および前記デフォルトスクランブルコードＩＤを割り当てること；或いは前記第２の４階数パターン、ポート２および前記デフォルトスクランブルコードＩＤを割り当てること；或いは前記第２の４階数パターン、ポート３および前記デフォルトスクランブルコードＩＤを割り当てること；或いは前記第２の４階数パターン、ポート０、ポート１および前記デフォルトスクランブルコードＩＤを割り当てること；或いは前記第２の４階数パターン、ポート２、ポート３および前記デフォルトスクランブルコードＩＤを割り当てること；或いは前記第１の４階数パターン、ポート０、ポート１、ポート２および前記デフォルトスクランブルコードＩＤを割り当てること；或いは前記第１の４階数パターン、ポート０、ポート１、ポート２、ポート３および前記デフォルトスクランブルコードＩＤを割り当てること；或いは前記８階数パターン、ポート０、ポート１、ポート２、ポート３、ポート４および前記デフォルトスクランブルコードＩＤを割り当てること；或いは前記８階数パターン、ポート０、ポート１、ポート２、ポート３、ポート４、ポート５および前記デフォルトスクランブルコードＩＤを割り当てること；或いは前記８階数パターン、ポート０、ポート１、ポート２、ポート３、ポート４、ポート５、ポート６および前記デフォルトスクランブルコードＩＤを割り当てること；或いは前記８階数パターン、ポート０、ポート１、ポート２、ポート３、ポート４、ポート５、ポート６、ポート７および前記デフォルトスクランブルコードＩＤを割り当てること、の合計１８種類の割り当て方式にそれぞれ対応して確認することに用いること、
を特徴とする請求項２１に記載の端末
【請求項２３】
端末専用の復調基準信号の指示システムであって、
指示装置と端末とを備え、
前記指示装置は、信号指示情報を生成し、かつ生成した前記信号指示情報を前記端末へ送信すし、
前記端末は、受信した前記信号指示情報に含まれる伝送ブロックＴＢのＴＢ指示情報と複数ビットの制御情報に基づき、自身に割り当てられる復調基準信号パターン情報と、ポート情報と、基準信号シーケンスのスクランブルコードＩＤとを確認する、
ことを特徴とする端末専用の復調基準信号の指示システム。
【発明の詳細な説明】
【技術分野】
【０００１】
本発明は無線通信分野に関し、特に多入力多出力ＭＩＭＯ（Ｍｕｌｔｉｐｌｅ−Ｉｎｐｕｔ  Ｍｕｌｔｉｐｌｅ−Ｏｕｔ−ｐｕｔ）に基づく端末専用の復調基準信号の指示方法、装置およびシステムに関する。
【背景技術】
【０００２】
ロングターム・エボリューションＬＴＥ−Ａ（Ｌｏｎｇ  Ｔｅｒｍ  Ｅｖｏｌｕｔｉｏｎ−Ａ）システムにおいて、８階数を最高とするＭＩＭＯ伝送を支援する。現在当該ＭＩＭＯ伝送方案は端末専用の復調基準信号に基づき実現するものであり、その内、ネットワーク側は物理ダウンリンク制御チャンネルを介して端末へデータを送信するとともに指示情報も送信する。当該指示情報は、当該端末に割り当てた端末専用の復調基準信号の指示に用いられ、端末は指し示した端末専用の復調基準信号に基づき当該端末に割り当てた対応ポートのチャンネル推定を行い、伝送データを受信する。この内、端末が使用した端末専用の復調基準信号を指し示すことは、端末に割り当てた復調基準信号パターンと、ポート及び基準信号シーケンスのスクランブルコードＩＤとを指し示すことを含む。
【０００３】
従来標準において、端末に割り当てた復調基準信号のパターンは４種類あり、即ち、２階数パターン、最初の４階数パターン、第２の４階数パターン及び８階数パターンであるが、それぞれ端末に最多２ポート、４ポート、４ポートおよび８ポートを割り当てるよう対応して支援し、この割り当てたポートの数量はランクの値である。
【０００４】
図１は２階数パターンを示す図である。ここで、横軸は時間を表し、縦軸は周波数を表す。図における各ボックスは１リソースユニットＲＥを表し、斜線ボックスはＣＲＳ（ｃｏｍｍｏｎ  ｒｅｆｅｒｅｎｃｅ  ｓｉｎｇａｌ）の位置、横線ボックスは端末専用の復調基準信号の位置である。２階数パターンにおける横線ボックスＲＥ１２個において、同一周波数搬送波の各２個の時間領域に隣り合いするＲＥを１組とし、かつ指し示した基準信号序列と結合する。長さを２とする直交符号ＯＣＣの区別により、端末に最多２ポート割り当てるよう支援できる。
【０００５】
図２は第１の４階層パターンを示す図である。ここで、縦線ボックスは２階数パターンにおいて増加した端末専用の復調基準信号の位置であり、第１の４階数パターンにおける横線ボックスＲＥ２４個と縦線ボックスＲＥにおいて、同一周波数搬送波の各２個時間領域に隣り合いするＲＥを１組とし、かつ指し示したＣＲＳシーケンスと結合する。長さを２とするＯＣＣで区別することにより、端末に最多４ポートを割り当てるよう支援できる。
【０００６】
図３は第２の４階数パターンを示す図である。ここで、端末専用の復調基準信号の数量と位置は図１に示す２階数パターンと同じである。しかし第２の４階数パターンにおける横線ボックスＲＥ１２個において、同一周波数搬送波の時間領域におけるＲＥ４個を１組とし、かつ指し示した基準信号シーケンスと結合する。長さを４とするＯＣＣで区別することにより、端末に最多４ポートを割り当てるよう支援できる。
【０００７】
図４は８階数パターンを示す図である。ここで、端末専用の復調基準信号の数量と位置は図２が示す第１の４階数パターンと同じである。しかし８階数パターンにおける端末専用の復調基準信号２４個において、同一周波数搬送波的時間領域における端末専用の復調基準信号４個を１組とし、かつ指し示した基準信号シーケンスと結合する。長さを４とするＯＣＣで区別することにより、端末に最多８ポートを割り当てるよう支援できる。
【０００８】
従来標準において端末に割り当てた基準信号シーケンスを２種類とさらに定義し、２個の異なるスクランブルコードＩＤにより区別と識別ができる。
【０００９】
上述従来標準に基づき端末専用の復調基準信号を指し示す場合、ネットワーク側が端末に以下の３つのことを知らすべきである：端末に割り当てる復調基準信号パターンが前記３個或いは４個の復調基準信号パターンの内のどちらの復調基準信号パターンであるのかと、端末に割り当てるポートと、端末に割り当てる基準信号のスクランブルコードＩＤが２つのスクランブルコードＩＤ内のどちらのスクランブルコードＩＤなのかと、を知らせる。
【発明の概要】
【発明が解決しようとする課題】
【００１０】
そのため、もし端末専用の復調基準信号を指し示す場合、端末に割り当てた復調基準信号パターン、ポートおよび基準信号シーケンスのスクランブルコードＩＤが任意に選択して組み合わせできるということは、多くの割り当て方式が存在することを意味する。それは端末専用の復調基準信号を指し示すシグナリングのオーバーヘッドが非常に多き、システムリソースを浪費する。
【課題を解決するための手段】
【００１１】
本発明に係る実施形態は、端末専用の復調基準信号の指示方法、装置およびシステムを提供することにより、端末専用の復調基準信号を指し示すシグナリングのオーバーヘッドを低減し、さらにシステムリソースの浪費を減らす。
【００１２】
本発明の実施形態に係る端末専用の復調基準信号の指示方法は、ネットワーク側が、信号指示情報を生成するステップと、ここで、前記信号指示情報は、伝送ブロックＴＢのＴＢ指示情報と複数ビットの制御情報に基づいて端末に割り当てる復調基準信号パターン情報、ポート情報および基準信号シーケンスのスクランブルコードＩＤを指し示すものであり、生成する前記信号指示情報を上述端末へ送信するステップと、を含む。
【００１３】
本発明の実施形態に係る端末は、ネットワーク側が送信した信号指示情報を受信する、受信ユニットと、前記信号指示情報に含まれる伝送ブロックＴＢのＴＢ指示情報と複数ビットの制御情報に基づき、自身に割り当てられる復調基準信号パターン情報、ポート情報および基準信号シーケンスのスクランブルコードＩＤを確認する、確認ユニットと、を備える。
【００１４】
本発明の実施形態に係る端末専用の復調基準信号の指示システムは、指示装置と端末を備え、前記指示装置は、信号指示情報を生成し、生成した前記信号指示情報を前記端末へ送信し、前記端末は、受信した前記信号指示情報に含まれる伝送ブロックＴＢのＴＢ指示情報と複数ビットの制御情報に基づき、自身に割り当てられる復調基準信号パターン情報と、ポート情報と、基準信号シーケンスのスクランブルコードＩＤとを確認する。
【発明の効果】
【００１５】
本発明の実施形態に係る方法において、ネットワーク側は信号指示情報を生成し、かつ生成した信号指示情報を端末へ送信する一方、端末は当該信号指示情報を受信後、受信した信号指示情報に含まれる伝送ブロックＴＢのＴＢ指示情報と複数ビットの制御情報に基づき、自身に割り当てられる復調基準信号パターン情報と、ポート情報と、基準信号シーケンスのスクランブルコードＩＤとを確認する。本発明の実施形態に係る方法において、端末に割り当てる復調基準信号パターン情報と、ポート情報および基準信号シーケンスのスクランブルコードＩＤとを指し示す場合、従来標準に定義したＴＢ指示情報を利用するため、従来技術と比べれば、専用復調基準信号の指示のみに用いられる制御シグナリングが減り、従って、端末専用の復調基準信号を指し示すことのみに用いられるシグナリングのオーバーヘッドを減らし、さらにシステムリソースの浪費を減らすことができる。
【図面の簡単な説明】
【００１６】
【図１】２階数パターンを示す図。
【図２】第１の４階数パターンを示す図。
【図３】第２の４階数パターンを示す図。
【図４】８階数パターンを示す図。
【図５】本発明の実施形態に係る端末専用の復調基準信号の指示方法のフロー図。
【図６】本発明の第１実施形態に係る端末専用の復調基準信号の指示方法のフロー図。
【図７】本発明の第２実施形態に係る端末専用の復調基準信号の指示方法のフロー図。
【図８】本発明の第３実施形態に係る端末専用の復調基準信号の指示方法のフロー図。
【図９】本発明の第４実施形態に係る端末専用の復調基準信号の指示装置の構造を示す図。
【図１０】本発明の第４実施形態に係る端末の構造を示す図。
【図１１】本発明の第４実施形態に係る端末専用の復調基準信号の指示システムの構造を示す図。
【発明を実施するための形態】
【００１７】
端末専用の復調基準信号を指し示すシグナリングオーバーヘッドを減らせることを提案するため、本発明に係る実施形態により端末専用の復調基準信号の指示方法、装置およびシステムを提供しており、以下に発明の詳細の説明と図面を結合して本発明の好ましい実施形態を説明する。ここで理解すべきこととして、ここに記述する好ましい実施形態は本発明の説明と解釈にのみ用い、本発明を限定するものではない。そして衝突がない限り、本出願における実施形態および実施形態の特徴は相互に組み合わせることができる。
【００１８】
本発明の実施形態に係る端末専用の復調基準信号の指示方法は、図５に示すように、ステップＳ５０１と、ステップＳ５０２とを含む。
【００１９】
ステップＳ５０１において、ネットワーク側は信号指示情報を生成し、かつ生成した信号指示情報を端末へ送信する。
【００２０】
ステップＳ５０２において、端末は受信した当該信号指示情報に含まれるＴＢのＴＢ指示情報と複数ビットの制御情報に基づき、自身に割り当てられる復調基準信号パターン情報と、ポート情報と、基準信号シーケンスのスクランブルコードＩＤとを確認する。
【００２１】
以下、図面を結合して、具体的な実施形態で本発明が提供する方法、装置およびシステムについて詳細に説明する。
【００２２】
（第１実施形態）
本発明に係る第１実施形態が提供する端末専用の復調基準信号の指示方法は、図６に示すようにステップＳ６０１と、ステップＳ６０２とを含む。
【００２３】
ステップＳ６０１において、ネットワーク側は、信号指示情報を生成し、かつ生成した信号指示情報を端末へ送信する。
【００２４】
ステップＳ６０２において、端末は、受信した当該信号指示情報に含まれるＴＢ２個がそれぞれ対応するＴＢ指示情報と３ビットの制御情報に基づき、自身に割り当てられる復調基準信号パターンを２階数パターン、第１の４階数パターンおよび８階数パターン中の１つとすることと、ポートと割り当てられた基準信号シーケンスのスクランブルコードＩＤをスクランブルコードＩＤ２個中の１つとすることとを確認する。
【００２５】
ここで、２階数パターンは１或いは２ポートのパターンの割り当てに、第１の４階数パターンは３或いは４ポートのパターンの割り当てに、８階数パターンは５、６、７或いは８ポートのパターンの割り当てに用いられる。
【００２６】
以下に本発明に係る第１実施形態に提供する方法について詳細な説明を行う。
【００２７】
従来標準に設定した第１作業仮定は、ＭＵ−ＭＩＭＯの場合、同時に最多４つの端末をスケジューリングし、さらに各端末に割り当てるポートは２個を越えず、そしてネットワーク側は複数端末に同時に合計最多４ポートを割り当てるなどことを決めた。
【００２８】
上述第１作業仮定に基づき、端末に１或いは２ポートを割り当てる場合、２階数パターンの使用に限る。この場合、マルチ端末のペアを組むことができ、ポートの組み合わせは以下の数種類の方式がある。
【００２９】
＜第１方式＞各端末に１ポートを割り当てる。最多４つの端末にそれぞれ１ポート割り当てることができ、対応する基準信号情報は（ポート０、スクランブルコードＩＤ０）と、（ポート１、スクランブルコードＩＤ０）と、（ポート０、スクランブルコードＩＤ１）と、（ポート１、スクランブルコードＩＤ１）とを含む。
【００３０】
＜第２方式＞１つの端末に２ポートを割り当て、２つ目の端末に１ポートを割り当て、対応する基準信号情報は（ポート０−１、スクランブルコードＩＤ０）と、（ポート０、スクランブルコードＩＤ１）とを含む。
【００３１】
＜第３方式＞１つの端末に２ポートを割り当て、２つ目の端末に１ポート、３つ目の端末に１ポートを割り当て、対応する基準信号情報は（ポート０−１、スクランブルコードＩＤ０）と、（ポート０、スクランブルコードＩＤ１）と、（ポート１、スクランブルコードＩＤ１）とを含む。
【００３２】
＜第４方式＞２つの端末にいずれも２ポート割り当て、対応する基準信号情報は（ポート０−１、スクランブルコードＩＤ０）と、（ポート０−１、スクランブルコードＩＤ１）とを含む。
【００３３】
以上から分かるように、端末に割り当てた端末専用の復調基準信号情報は２種類２ポートと４種類１ポートの割り当てを含む。即ち、２階数パターンを使用する場合、計６種類のステータスは端末に割り当てるパターン情報、ポート情報およびスクランブルコードＩＤの全ての可能な割り当て方式を指示できる。
【００３４】
上述第１作業仮定に基づき、端末に３或いは４ポートを割り当てる場合、第１の４階数パターンの使用に限る。この時、端末に割り当てたポート数量は２つ以上になるため、当該端末が他の端末とペアを組まないことを暗に指し示す。即ち当該端末と同じポートを使用する端末はないため、基準信号序列を区別する必要がない。つまり、スクランブルコードＩＤはスクランブルコードＩＤ０或いはスクランブルコードＩＤ１のようなデフォルトを使用でき、さらに端末に３ポート割り当てる場合のポートを０−２、４ポート割り当てる場合のポートを０−３と限定すれば、ポートの組み合わせは以下の数種類の方式となる。
【００３５】
＜第１方式＞端末に３ポートを割り当て、割り当てるポートは（ポート０−２、デフォルトスクランブルコード）である。
【００３６】
＜第２方式＞端末に４ポート割り当て、割り当てるポートは（ポート０−３、デフォルトスクランブルコード）である。
【００３７】
以上から分かるように、端末に割り当てる端末専用の復調基準信号情報は、１種類の３ポートと１種類の４ポートの割り当てを含む。即ち、第１の４階数パターンを使用する場合、計２種類のステータスは端末に割り当てたパターン情報、ポート情報およびスクランブルコードＩＤの全ての可能な割り当て方式を指示できる。
【００３８】
上述第１作業仮定に基づき、端末に５、６、７或いは８ポートを割り当てる場合、８階数パターンの使用に限る。この時、端末に割り当てたポート数量は２つ以上になるため、当該端末が他の端末ペアを組まないことを暗に指し示す。即ち当該端末と同じポートを使用する端末はないため、基準信号シーケンスを区別する必要がない。即ちスクランブルコードＩＤはスクランブルコードＩＤ０或いはスクランブルコードＩＤ１のようなデフォルトを使用でき、さらに端末が５ポートを割り当てる場合にポート０−４、６ポートを割り当てる場合にポート０−５、７ポートを割り当てる場合にポート０−６、８ポートを割り当てる場合に全部のポート０−７と限定すれば、ポートの組み合わせは以下の数種類の方式となる。
【００３９】
＜第１方式＞端末に５ポートを割り当て、割り当てるポートは（ポート０−４、デフォルトスクランブルコード）である。
【００４０】
＜第２方式＞端末に６ポートを割り当て、割り当てるポートは（ポート０−５、デフォルトスクランブルコード）である。
【００４１】
＜第３方式＞端末に７ポートを割り当て、割り当てるポートは（ポート０−６、デフォルトスクランブルコード）である。
【００４２】
＜第４方式＞端末に８ポートを割り当て、割り当てるポートは（ポート０−７、デフォルトスクランブルコード）である。
【００４３】
以上から分かるように、端末に割り当てた端末専用の復調基準信号情報は、１種類の５ポート、１種類の６ポート、１種類の７ポートおよび１種類の８ポートの割り当てを含む。８階数パターンを使用する場合、計４種類のステータスは端末に割り当てたパターン情報、ポート情報およびスクランブルコードＩＤの全部の可能な割り当て方式を指示できる。
【００４４】
以下の表１において上述の各種割り当て方式を要約する。
【００４５】
【表１】
2013519271.tif 000003
【００４６】
表１から分かるように、上述第１作業仮定に基づき、１２種類のステータスにより１２種類の全ての可能な割り当て方式に対応して指し示す必要がある。
【００４７】
従来標準においてさらに設定した第２作業仮定は、各ユーザーについて使用するＴＢの数量が最多２個（ＴＢ１とＴＢ２）とし、さらに当該ユーザーに割り当てるポート数以上にはならないことと、当該ユーザーに割り当てるポート数が４個以上の場合、ＴＢ２個を使用してデータを伝送することなどを決めた。
【００４８】
上述第２作業仮定に基づき、２階数パターンを使用し端末に１ポートを割り当てる場合、ＴＢ１個しか使用できず、他の未使用のＴＢの指示情報はポートの区別に用いることができるので（具体的に未使用のＴＢにおいて新データを使用しＮＤＩビッド数に区別するよう指示できる）、別に制御情報を増やして使用するパターンとスクランブルコードＩＤを指し示すだけで良い。
【００４９】
２階数パターンとＴＢ２個とを使用する場合、必然的に端末に２ポートを割り当てるので、制御情報の指示で使用するパターンとスクランブルコードＩＤを別途に増やすだけでよい。第１実施形態において、端末に２ポートを割り当てると限定できる場合、必ずＴＢ２個使用するので、２ポートを割り当ててＴＢ１個を使用する状況についてさらに指し示す必要がない。また必ずＴＢ１個を使用しなければならないと限定できるので、２ポートを割り当ててＴＢ２個を使用する状況についてさらに指し示す必要がない。そしてこれらのような限定をせず、端末に２ポートを割り当てる場合、ＴＢ１個（ＴＢ１或いはＴＢ２）でも、ＴＢ２個でも使用すればよい。
【００５０】
第１の４階数パターンを使用し端末に３ポート或いは４ポート割り当てる場合、マルチユーザーペアを支援しないので、制御情報の指示で使用するパターンとスクランブルコードＩＤを別途に増やすだけで良い。
【００５１】
８階数パターンを使用し端末に５、６、７或いは８ポートを割り当てる場合、同様にマルチユーザーペアを支援しないので、制御情報の指示で使用するパターンとスクランブルコードＩＤを別途に増やすだけでよい。
【００５２】
上述分析に基づき、第１実施形態において、ＴＢ２個を結合するＴＢ指示情報に、３ビットの制御情報をさらに増やすことができ（最多８種類の制御情報を提供）、そうすると、少なくとも１２種類の指示情報を提供できる。そのため、指示が必要な１２種類の端末に割り当てるパターン、ポートおよびスクランブルコードＩＤの割り当て方式は前記１２種類の指示情報を用い、それぞれ１２種類の割り当て方式に対応して指示できる。
【００５３】
例えば、ＴＢ２個のＴＢ指示情報は以下の２種類のシナリオのうちの１つに分けられる。
【００５４】
＜シナリオ１＞ＴＢ２個のＴＢ指示情報は、ＴＢ１が使用されることを表す第１ＴＢ指示情報と、ＴＢ２が使用されることを表す第２ＴＢ指示情報である。
【００５５】
＜シナリオ２＞ＴＢ２個のＴＢ指示情報は、ＴＢ１が使用されることを表す第１ＴＢ指示情報と、ＴＢ２が使用されていないことを表す第３ＴＢ指示情報および第３ＴＢ指示情報におけるＮＤＩビット数である。
【００５６】
３ビットの制御情報について、各ビットが表す意味は表２に示す通りである。
【００５７】
【表２】
2013519271.tif 000004
【００５８】
以下の表３は表２に基づく前記１２種類の割り当て方式を指示する対照表である。ＴＢ１とＴＢ２のＴＢ指示情報、および３ビットの制御情報を使用し共同で指し示す。
【００５９】
【表３−１】
2013519271.tif 000005
【００６０】
【表３−２】
2013519271.tif 000006
【００６１】
表３において、ステータス１を例にすると、表における信号指示情報「ＴＢ１、およびＴＢ２のＮＤＩのビット数を０、０００とする」は、ＴＢ１は使用、ＴＢ２は未使用、ＴＢ２のＮＤＩビット数を０とし、３ビットの制御情報を０００とし、端末に２階数パターン、ポート０およびスクランブルコードＩＤ０を割り当てるよう対応して指し示すことを表す。ステータス５を例にすると、表における信号指示情報「ＴＢ１とＴＢ２、０００」は、ＴＢ１は使用、ＴＢ２も使用、３ビットの制御情報を０００とし、端末に２階数パターン、ポート０−１およびスクランブルコードＩＤ０を割り当てるよう対応して指し示すことを表す。他のステータスの指示情報が表す意味も似ているためここでは一つ一つ説明をしない。
【００６２】
表３から分かるように、端末にパターン、ポートおよびスクランブルコードＩＤを割り当てる割り当て方式は１２種類あるが、特定の割り当て方式についてはＴＢ１個或いはＴＢ２個を使用するかに係る。例えば、ステータス７とステータス８、ステータス９とステータス１０、ステータス５とステータス１５、ステータス６とステータス１６がある。そのため、ＴＢ１個或いはＴＢ２個を使用するかを考えると、最終的に１６種類の割り当て方式を指し示す必要がある。
【００６３】
表３について、特に強調すべきこととしてステータス１５とステータス１６がある。本発明に係る第１実施形態において、端末にステータス１５とステータス１６の表す割り当て方式を割り当てないと限定すれば、ステータス１５とステータス１６に指し示す必要がない。もし限定しなければ、指し示す必要がありステータス１−１４において使用していない３ビットの制御情報を用いて指示できる。例えば、具体的な指示情報は表３に示す通りである。
【００６４】
本発明に係る第１実施形態において、ＴＢ２個のＴＢ指示情報は以下の２種類のシナリオの１つである。
【００６５】
＜シナリオ１＞ＴＢ２個のＴＢ指示情報は、ＴＢ１が使用されることを表す第１ＴＢ指示情報とＴＢ２が使用されることを表す第２ＴＢ指示情報である。
【００６６】
＜シナリオ２＞ＴＢ２個のＴＢ指示情報は、ＴＢ１が使用されることを表す第１ＴＢ指示情報とＴＢ２が使用されていないことを表す第３ＴＢ指示情報である。
【００６７】
即ち第２種類のシナリオにおいては第３ＴＢ指示情報におけるＮＤＩビット数はもはや必要ない。具体的にこの２種類のシナリオのＴＢ指示情報と３ビット制御情報に基づき、如何に指示が必要な１２種類の端末に割り当てるパターン、ポートおよびスクランブルコードＩＤの割り当て方式を共同で指し示すかについては、上述表２と表３において指し示す原理を参照して指示できるためここでは説明を繰り返さない。
【００６８】
第１実施形態において上述表１が示す指示方案は、ＴＢ２個のＴＢ指示情報の上述２種類のシナリオと表２における３ビット制御情報の各ビットが表す意味に基づき指し示しており、他の実施形態においては別の具体的な指示方案を用いることもできる。即ち各種類のステータスに用いるＴＢ２個のＴＢ指示情報と３ビット制御情報については具体的な限定をせず、区別ができればよい。
【００６９】
上述の記述により、第１実施形態に示す方案に基づき、ＴＢ２個のＴＢ指示情報と３ビットの制御情報により、第１実施形態における端末専用の復調基準信号の指示を実現した。また従来技術と比べて、端末専用の復調基準信号を指し示すシグナリングのオーバーヘッドを減らし、さらにシステムリソースの浪費を減らすことができる。
【００７０】
（第２実施形態）
本発明に係る第２実施形態が提供する端末専用の復調基準信号の指示方法は、図７に示す通りステップＳ７０１と、ステップＳ７０２とを含む。
【００７１】
ステップＳ７０１において、ネットワーク側は信号指示情報を生成し、かつ生成した信号指示情報を端末へ送信する。
【００７２】
ステップＳ７０２において、端末は受信した当該信号指示情報に含まれるＴＢ２個がそれぞれ対応するＴＢ指示情報と３ビットの制御情報に基づき、自身に割り当てた復調基準信号パターンが２階数パターン、第１の４階数パターン、第２の４階数パターンおよび８階数パターンにおける１つであることと、ポートと割り当てた基準信号シーケンスのスクランブルコードＩＤがスクランブルコードＩＤ２個中の１つであることとを確認できる。
【００７３】
ここで、２階数パターンは１或いは２ポートのパターンの割り当てに、第１の４階数パターンは３或いは４ポートのパターンの割り当てに、第２の４階数パターンは１或いは２ポートのパターンの割り当てに、８階数パターンは５、６、７或いは８ポートのパターンの割り当てに用いられるパターンである。
【００７４】
以下に本発明に係る第２実施形態が提供する方法について詳しく説明する。
【００７５】
第１実施形態における第１作業仮定に基づき、端末に１或いは２ポートを割り当てる場合、第２の４階数パターンも使用できる。この時、マルチ端末ペアを組むことができ、ポートの組み合わせは以下の数種類の方式となる。
【００７６】
＜第１方式＞各端末に１ポートを割り当て、最多４個の端末にポートの割り当てを支援できる。割り当てたポートは（ポート０、デフォルトスクランブルコード）、（ポート１、デフォルトスクランブルコード）、（ポート２、デフォルトスクランブルコード）、（ポート３、デフォルトスクランブルコード）を含む。
【００７７】
＜第２方式＞各端末に２ポートを割り当て、割り当てたポートは（ポート０−１、デフォルトスクランブルコード）、（ポート２−３、デフォルトスクランブルコード）を含む。
【００７８】
以上から分かるように、端末に割り当てた端末専用の復調基準信号情報は４種類１ポートの割り当てと２種類２ポートの割り当てを含む。即ち第２の４階数パターンを使用する場合、計６種類のステータスは端末に割り当てたパターン情報、ポート情報およびスクランブルコードＩＤの全部の実現可能な割り当て方式を指示できる。
【００７９】
第１実施形態における１２種類の可能な割り当て方式を結合し、第２実施形態において、１８種類のステータスにより１８種類の可能な割り当て方式に対応して指し示す必要がある。
【００８０】
第１実施形態における第２作業仮定に基づき、第２の４階数パターンを使用し端末に１ポートを割り当てる場合、ＴＢ１個しか使用できず、他の未使用のＴＢの指示情報はポートの区別に用いられることができるので（具体的に未使用のＴＢのＮＤＩビット数が区別に使用できる）、さらに使用するパターンを別に指し示すだけでよい。
【００８１】
第２の４階数パターン、さらにＴＢ２個を使用する場合、必然的に端末に２ポートを割り当てるので、使用するパターンをささらに別に指し示すだけで良い。第１実施形態において、端末に２ポートを割り当てる場合、必ずＴＢ２個使用することを限定すれば、２ポートを割り当ててＴＢ１個を使用するシナリオについてさらに指し示す必要がない。また必ずＴＢ１個使用しなければならないと限定できるので、２ポートを割り当ててＴＢ２個を使用するシナリオについてさらに指し示す必要がない。そしてこれらのような限定をせず、即ち、端末に２ポート割り当てる場合、ＴＢ１個（ＴＢ１或いはＴＢ２）でも、ＴＢ２個でも使用してよい。
【００８２】
上述分析に基づき、第２実施形態において、ＴＢ２個を結合するＴＢ指示情報には、３ビットの制御情報をさらに増やすことができ（最多８種類の制御情報を提供）、少なくとも１８種類の指示情報を提供できる。そのため、指示が必要な１８種類の端末にパターン、ポートおよびスクランブルコードＩＤを割り当てる割り当て方式は、前記１８種類の指示情報における１８種類の指示情報を利用して、それぞれ１８種類の割り当て方式を指示することができる。具体的に以下の例を挙げる。
【００８３】
ここで、ＴＢ２個のＴＢ指示情報は以下の３種類のシナリオのうちの１つである。
【００８４】
＜シナリオ１＞ＴＢ２個のＴＢ指示情報は、ＴＢ１が使用されることを表す第１ＴＢ指示情報とＴＢ２が使用されることを表す第２ＴＢ指示情報である。
【００８５】
＜シナリオ２＞ＴＢ２個のＴＢ指示情報は、ＴＢ１が使用されることを表す第１ＴＢ指示情報と、ＴＢ２が使用されていないことを表す第３ＴＢ指示情報および第３ＴＢ指示情報におけるＮＤＩビット数である。
【００８６】
＜シナリオ３＞ＴＢ１が使用されていないことを表す第４ＴＢ指示情報および第４ＴＢ指示情報におけるＮＤＩビット数と、ＴＢ２が使用されることを表す第２指示情報である。
【００８７】
第２実施形態は、第１実施形態における表３の基礎の上に、第２の４階数パターンを使用する場合に、増加した上述６種類の割り当て方式を指し示すものである。以下の表４の通りである。
【００８８】
【表４】
2013519271.tif 000007
【００８９】
表４から分かるように、端末にパターン、ポートおよびスクランブルコードＩＤを割り当てる方式は６種類あるが、特定の割り当て方式についてはＴＢ１個或いはＴＢ２個を使用するかの状況に係る。例えば、ステータス２１とステータス２３、ステータス２２とステータス２４がある。そのため、ＴＢ１個或いはＴＢ２個の使用状況を考えると、最終的に８種類の割り当て方式を指し示す必要がある。
【００９０】
本発明に係る第２実施形態において、端末にステータス２３とステータス２４が表す割り当て方式を割り当てないと限定すれば、ステータス２３とステータス２４に指し示す必要がない。もし限定しなければ、指し示す必要があり、具体的な指示情報は表４に示す通りである。但し、この時ステータス２３に対応する信号指示情報と表３におけるステータス５が同一であり、ステータス２４に対応する信号指示情報と表３におけるステータス６の信号指示情報は同じである。そのため、本発明に係る第２実施形態において、ステータス５とステータス６の組み合わせとステータス２３とステータス２４の組み合わせのうちの１つのみを選択し使用するよう設定すればよく、別の種類の組み合わせは使用しなくてもよい。
【００９１】
第２実施形態において上述表４が示す指示方案は、表３の基礎の上に指し示すものである。他の実施形態においては別の具体的な指示方案を用いることもできる。即ち各種類のステータスに用いられるＴＢ２個のＴＢ指示情報と３ビット制御情報について具体的に限定せず、区別ができれば良い。
【００９２】
この時、ＴＢ２個のＴＢ指示情報と３ビットの制御情報により、第２実施形態における端末専用の復調基準信号の指示を実現した。また、従来技術と比べて、端末専用の復調基準信号を指し示すシグナリングオーバーヘッドを減らし、さらにシステムリソースの浪費を減らした。
【００９３】
（第３実施形態）
上述第２実施形態において、ステータス５とステータス６の組み合わせ、およびステータス２３とステータス２４の組み合わせのうちの１つのみ選択できるのに対し、ステータス５、ステータス６、ステータス２３およびステータス２４のいずれにも指示できるようにするため、８に示すように、第３実施形態は一種の端末専用の復調基準信号の指示方法をさらに提供し、ステップＳ８０１と、ステップＳ８０２とを含む。
【００９４】
ステップＳ８０１において、ネットワーク側は信号指示情報を生成し、かつ生成した信号指示情報を端末へ送信する。
【００９５】
ステップＳ８０２において、端末は受信した当該信号指示情報に含まれるＴＢ２個にそれぞれ対応するＴＢ指示情報と４ビットの制御情報に基づき、自身に割り当てた復調基準信号パターンが２階数パターン、第１の４階数パターン、第２の４階数パターンおよび８階数パターンにおける１つであることと、ポートと割り当てた基準信号シーケンスのスクランブルコードＩＤがスクランブルコードＩＤ２個中の１つであることとを確認する。
【００９６】
ここで、２階数パターンは１或いは２ポートのパターンの割り当てに、第１の４階数パターンは３或いは４ポートのパターンの割り当てに、第２の４階数パターンは１或いは２ポートのパターンの割り当てに、８階数パターンは５、６、７或いは８ポートのパターンの割り当てに用いられるパターンである。
【００９７】
以下に本発明に係る第３実施形態により提供する方法の詳細な説明を行う。
【００９８】
第１作業仮定と第２作業仮定に基づき、端末に割り当てたパターン、ポートおよびスクランブルコードＩＤの可能な割り当て方式の分析に関し、上述第１実施形態と第２実施形態における合計１８種類の割り当て方式の記載に詳細に説明されている。第３実施形態において、ＴＢ２個を結合するＴＢ指示情報は、４ビットの制御情報（最多１６種類の制御情報を提供）をさらに増やせ、少なくとも１８種類の指示情報を提供できる。そのため、指示が必要な１８種類の端末にパターン、ポートおよびスクランブルコードＩＤを割り当てる割り当て方式は、前記１８種類の指示情報における１８種類の指示情報を利用して、それぞれ１８種類の割り当て方式に対応して指し示すことができる。以下、例を挙げて説明する。
【００９９】
ここで、ＴＢ２個のＴＢ指示情報は以下の２種類のシナリオの１つに分けられる。
【０１００】
＜シナリオ１＞ＴＢ２個のＴＢ指示情報は、ＴＢ１が使用されることを表す第１ＴＢ指示情報とＴＢ２が使用されることを表す第２ＴＢ指示情報である。
【０１０１】
＜シナリオ２＞ＴＢ２個のＴＢ指示情報は、ＴＢ１が使用されることを表す第１ＴＢ指示情報、ＴＢ２が使用されていないことを表す第３ＴＢ指示情報および第３ＴＢ指示情報におけるＮＤＩビット数である。
【０１０２】
４ビットの制御情報について、各ビットが表す意味は以下の表５に示す通りである。
【０１０３】
【表５】
2013519271.tif 000008
【０１０４】
以下の表６は表５に基づく上述１８種類の割り当て方式を指し示す対照表である。ＴＢ１とＴＢ２のＴＢ指示情報、さらに４ビットの制御情報を使用し共同で指し示す。
【０１０５】
【表６−１】
2013519271.tif 000009
【０１０６】
【表６−２】
2013519271.tif 000010
【０１０７】
【表６−３】
2013519271.tif 000011
【０１０８】
表６から分かるように、端末にパターン、ポートおよびスクランブルコードＩＤを割り当てる割り当て方式は１８種類ある。特定の割り当て方式についてはＴＢ１個或いはＴＢ２個を使用するかの状況に係る。例えば、ステータス７とステータス８、ステータス９とステータス１０、ステータス５とステータス１５、ステータス６とステータス１６、ステータス２１とステータス２３、ステータス２２とステータス２４がある。そのため、ＴＢ１個或いはＴＢ２個を利用することも考えると、最終的に２４種類の割り当て方式を指し示す必要がある。
【０１０９】
第３実施形態において上述表６に示す指示方案は、ＴＢ２個のＴＢ指示情報の上述２種類のシナリオと表５における４ビット制御情報の各ビットが表す意味に基づき指し示しており、他の実施形態においては別の具体的な指示方案を用いることもできる、即ち各種類のステータスに用いるＴＢ２個のＴＢ指示情報と４ビット制御情報については具体的な限定をせず、区別ができればよい。
【０１１０】
上述の内容より、第３実施形態に示す方案に基づき、ＴＢ２個のＴＢ指示情報と４ビットの制御情報により、第３実施形態における端末専用の復調基準信号の指示を実現した。また、従来技術と比べて、端末専用の復調基準信号を指し示すシグナリングオーバーヘッドを減らし、さらにシステムリソースの浪費を減らすことを確認できる。
【０１１１】
（第４実施形態）
同一の発明構想により、本発明の上述第１、第２および第３実施形態により提供する端末専用の復調基準信号の指示方法に基づき、本発明に係る第４実施形態は端末専用の復調基準信号の指示装置を提供し、図９に示すように、その構造は生成ユニット９０１と、送信ユニット９０２とを備える。
【０１１２】
前記生成ユニット９０１は、信号指示情報を生成し、前記信号指示情報と、伝送ブロックＴＢのＴＢ指示情報と、複数ビットの制御情報とに基づいて、端末に割り当てた復調基準信号パターン情報、ポート情報および基準信号シーケンスのスクランブルコードＩＤを指し示す。
【０１１３】
前記送信ユニット９０２は、生成した前記信号指示情報を端末へ送信する。
【０１１４】
好ましくは、前記生成ユニット９０１は具体的に信号指示情報を生成し、かつ前記ＴＢのＴＢ指示情報と前記複数ビットの制御情報の結合により表す少なくともＮ種類の指示情報に基づき、それぞれ端末に割り当てる復調基準信号パターン情報、ポート情報および基準信号シーケンスのスクランブルコードＩＤの合計Ｎ種類の割り当て方式に対応して指し示す。ここで、前記ＴＢのＴＢ指示情報はＴＢ２個にそれぞれ対応するＴＢ指示情報であり、前記複数ビットの制御情報は３ビット或いは４ビットの制御情報であり。前記復調基準信号パターン情報は予定する多くとも４パターンのうちの１パターンの情報であり、前記基準信号シーケンスのスクランブルコードＩＤは、２つの予定基準信号シーケンスそれぞれが対応するスクランブルコードＩＤ中の１スクランブルコードＩＤである。
【０１１５】
これに応じて、図１０に示すように、本発明に係る第４実施形態における端末の構造は、受信ユニット１００１と、確認ユニット１００２とを備える。
【０１１６】
前記受信ユニット１００１は、ネットワーク側が送信した信号指示情報を受信する。
【０１１７】
確認ユニット１００２は、前記信号指示情報に含まれる伝送ブロックＴＢのＴＢ指示情報と複数ビットの制御情報に基づき、自身に割り当てられる復調基準信号パターン情報、ポート情報および基準信号シーケンスのスクランブルコードＩＤを確認する。
【０１１８】
好ましくは、前記確認ユニット１００２は具体的に前記信号指示情報に備えるＴＢのＴＢ指示情報と前記複数ビットの制御情報の結合により表す少なくともＮ種類の指示情報に基づき、それぞれ端末に割り当てる復調基準信号パターン情報、ポート情報および基準信号シーケンスのスクランブルコードＩＤの合計Ｎ種類の割り当て方式に対応して確認する。ここで、前記ＴＢのＴＢ指示情報はＴＢ２個がそれぞれ対応するＴＢ指示情報であり、前記複数ビットの制御情報は３ビット或いは４ビットの制御情報である。前記復調基準信号パターン情報は、予定する多くとも４パターンのうちの１パターンの情報であり、前記基準信号シーケンスのスクランブルコードＩＤは、２つの予定基準信号序列がそれぞれ対応するスクランブルコードＩＤ中の１スクランブルコードＩＤである。
【０１１９】
好ましくは、前記確認ユニット１００２が基づいた前記ＴＢ２個がそれぞれ対応するＴＢ指示情報は、第１ＴＢが使用されることを表す第１ＴＢ指示情報と第２ＴＢが使用されることを表す第２ＴＢ指示情報である。
【０１２０】
或いは、第１ＴＢが使用されることを表す第１ＴＢ指示情報、第２ＴＢが使用されていないことを表す第３ＴＢ指示情報および前記第３ＴＢ指示情報における新データ指示情報ＮＤＩビット数を表す。
【０１２１】
好ましくは、前記確認ユニット１００２が確認した予定する多くとも４パターンは、２階数パターン、第１の４階数パターンおよび８階数パターンを含む。ここで、前記２階数パターンは１或いは２ポートのパターンの割り当てに、前記第１の４階数パターンは３或いは４ポートのパターンの割り当てに、前記８階数パターンは５、６、７或いは８ポートのパターンの割り当てに用いられるパターンである。
【０１２２】
前記信号指示情報に含まれる前記ＴＢ２個のＴＢ指示情報が表す２種類のシナリオと、前記信号指示情報に含まれる３ビット制御情報が表す８種類の制御情報との結合により、少なくとも１２種類の指示情報を表せる。好ましくは、前記確認ユニット１００２は、少なくとも前記１２種類の指示情報前記に基づき、それぞれ自身に前記２階数パターン、ポート０およびスクランブルコードＩＤ０を割り当てること、或いは前記２階数パターン、ポート０およびスクランブルコードＩＤ１を割り当てること；或いは前記２階数パターン、ポート１およびスクランブルコードＩＤ０を割り当てること；或いは前記２階数パターン、ポート１およびスクランブルコードＩＤ１を割り当てること；或いは前記２階数パターン、ポート０、ポート１およびスクランブルコードＩＤ０を割り当てること；或いは前記２階数パターン、ポート０、ポート１およびスクランブルコードＩＤ１を割り当てること；或いは前記第１の４階数パターン、ポート０、ポート１、ポート２およびデフォルトスクランブルコードＩＤを割り当て、前記デフォルトスクランブルコードＩＤをスクランブルコードＩＤ０或いはスクランブルコードＩＤ１とすること；或いは前記第１の４階数パターン、ポート０、ポート１、ポート２、ポート３および前記デフォルトスクランブルコードＩＤを割り当てること；或いは前記８階数パターン、ポート０、ポート１、ポート２、ポート３、ポート４および前記デフォルトスクランブルコードＩＤを割り当てること；或いは前記８階数パターン、ポート０、ポート１、ポート２、ポート３、ポート４、ポート５および前記デフォルトスクランブルコードＩＤを割り当てること；或いは前記８階数パターン、ポート０、ポート１、ポート２、ポート３、ポート４、ポート５、ポート６および前記デフォルトスクランブルコードＩＤを割り当てること；或いは前記８階数パターン、ポート０、ポート１、ポート２、ポート３、ポート４、ポート５、ポート６、ポート７および前記デフォルトスクランブルコードＩＤを割り当てること、の合計１２種類の割り当て方式に対応して確認する。
【０１２３】
好ましくは、前記確認ユニット１００２が確認した予定する多くとも４パターンは、第２の４階数パターンをさらに含む。ここて、前記第２の４階数パターンを１或いは２ポートのパターンの割り当てに用いる。
【０１２４】
好ましくは、前記確認ユニット１００２が基づいた前記ＴＢ２個がそれぞれ対応するＴＢ指示情報は、第１ＴＢが使用されていないことを表す第４ＴＢ指示情報、第２ＴＢが使用されることを表す第２ＴＢ指示情報および前記第４ＴＢ指示情報におけるＮＤＩビット数をさらに指すことができる。
【０１２５】
前記信号指示情報に含まれる前記ＴＢ２個のＴＢ指示情報が表す３種類のシナリオと、３ビット制御情報が表す８種類の制御情報との結合により数多くの指示情報を表すことができる。好ましくは、前記確認ユニット１００２は、前記１２種類の指示情報以外の少なくとも６種類の指示情報に基づき、それぞれ自身に前記第２の４階数パターン、ポート０および前記デフォルトスクランブルコードＩＤを割り当てること；或いは前記第２の４階数パターン、ポート１および前記デフォルトスクランブルコードＩＤを割り当てること；或いは前記第２の４階数パターン、ポート２および前記デフォルトスクランブルコードＩＤを割り当てること；或いは前記第２の４階数パターン、ポート３および前記デフォルトスクランブルコードＩＤを割り当てること；或いは前記第２の４階数パターン、ポート０、ポート１および前記デフォルトスクランブルコードＩＤを割り当てること；或いは前記第２の４階数パターン、ポート２、ポート３および前記デフォルトスクランブルコードＩＤを割り当てること、の合計６種類の割り当て方式に対応して確認することにさらに用いる。
【０１２６】
好ましくは、前記確認ユニット１００２が確認した予定する多くとも４パターンは、２階数パターン、第１の４階数パターン、第２の４階数パターンおよび８階数パターンを含む。ここで、前記２階数パターンは１或いは２ポートのパターンの割り当てに、前記第１の４階数パターンは３或いは４ポートのパターンの割り当てに、前記第２の４階数パターンは１或いは２ポートのパターンの割り当てに、前記８階数パターンは５、６、７或いは８ポートのパターンの割り当てに用いられる。
【０１２７】
前記ＴＢ２個のＴＢ指示情報が表す２種類のシナリオと前記信号指示情報に含まれる４ビット制御情報が表す１６種類の制御情報と結合することにより、少なくとも１８種類の指示情報を表すことができる。好ましくは、前記確認ユニット１００２は、少なくとも当該１８種類の指示情報に基づき、それぞれ自身に前記２階数パターン、ポート０およびスクランブルコードＩＤ０を割り当てること；或いは前記２階数パターン、ポート０およびスクランブルコードＩＤ１を割り当てること；或いは前記２階数パターン、ポート１およびスクランブルコードＩＤ０を割り当てること；或いは前記２階数パターン、ポート１およびスクランブルコードＩＤ１を割り当てること；或いは前記２階数パターン、ポート０、ポート１およびスクランブルコードＩＤ０を割り当てること；或いは前記２階数パターン、ポート０、ポート１およびスクランブルコードＩＤ１を割り当てること；或いは前記第２の４階数パターン、ポート０およびデフォルトスクランブルコードＩＤを割り当て、前記デフォルトスクランブルコードＩＤをスクランブルコードＩＤ０或いはスクランブルコードＩＤ１とすること；或いは前記第２の４階数パターン、ポート１および前記デフォルトスクランブルコードＩＤを割り当てること；或いは前記第２の４階数パターン、ポート２および前記デフォルトスクランブルコードＩＤを割り当てること；或いは前記第２の４階数パターン、ポート３および前記デフォルトスクランブルコードＩＤを割り当てること；或いは前記第２の４階数パターン、ポート０、ポート１および前記デフォルトスクランブルコードＩＤを割り当てること；或いは前記第２の４階数パターン、ポート２、ポート３および前記デフォルトスクランブルコードＩＤを割り当てること；或いは前記第１の４階数パターン、ポート０、ポート１、ポート２および前記デフォルトスクランブルコードＩＤを割り当てること；或いは前記第１の４階数パターン、ポート０、ポート１、ポート２、ポート３および前記デフォルトスクランブルコードＩＤを割り当てること；或いは前記８階数パターン、ポート０、ポート１、ポート２、ポート３、ポート４および前記デフォルトスクランブルコードＩＤを割り当てること；或いは前記８階数パターン、ポート０、ポート１、ポート２、ポート３、ポート４、ポート５および前記デフォルトスクランブルコードＩＤを割り当てること；或いは前記８階数パターン、ポート０、ポート１、ポート２、ポート３、ポート４、ポート５、ポート６および前記デフォルトスクランブルコードＩＤを割り当てること；或いは前記８階数パターン、ポート０、ポート１、ポート２、ポート３、ポート４、ポート５、ポート６、ポート７および前記デフォルトスクランブルコードＩＤを割り当てること、の合計１８種類の割り当て方式に対応して確認することに用いられる。
【０１２８】
これに応じて、図１１に示すように本発明に係る第４実施形態における端末専用の復調基準信号の指示システムの構造は指示装置１１０１と、端末１１０２とを備える。
【０１２９】
前記指示装置１１０１は、信号指示情報を生成し、かつ生成した信号指示情報を端末１１０２へ送信する。
【０１３０】
前記端末１１０２は、受信した信号指示情報に含まれるＴＢのＴＢ指示情報と複数ビットの制御情報に基づき、自身に割り当てられる復調基準信号パターン情報、ポート情報および基準信号シーケンスのスクランブルコードＩＤを確認する。
【０１３１】
総じて、本発明に係る実施形態により提供する方案は、ネットワーク側が信号指示情報を生成し、かつ生成した信号指示情報を端末へ送信することと、端末が受信した当該信号指示情報に含まれるＴＢのＴＢ指示情報と複数ビットの制御情報に基づき、自身に割り当てられる復調基準信号パターン情報、ポート情報および基準信号シーケンスのスクランブルコードＩＤを確認すること、とを含む。本発明に係る実施形態における方案を従来技術と比べれば、端末専用の復調基準信号を指し示すシグナリングオーバーヘッドを減らすることができ、さらにシステムリソースの浪費を減らすこともできる。
【０１３２】
当業者であれば、本発明の技術的思想の範囲内において、本発明に対し種種の変更・改変を行うことができる。そのような変更・改変は、本発明の請求の範囲及びその均等の範囲に属するので、つまり、本発明は、そのような変更・改変も意図しているということは明らかである。
【図１】
2013519271.tif 000012
【図２】
2013519271.tif 000013
【図３】
2013519271.tif 000014
【図４】
2013519271.tif 000015
【図５】
2013519271.tif 000016
【図６】
2013519271.tif 000017
【図７】
2013519271.tif 000018
【図８】
2013519271.tif 000019
【図９】
2013519271.tif 000020
【図１０】
2013519271.tif 000021
【図１１】
2013519271.tif 000022
【国際調査報告】
2013519271.tif 000023
2013519271.tif 000024
2013519271.tif 000025
2013519271.tif 000026